(57)【要約】【課題】メインモジュールおよびサブモジュールの画像を容易に評価できる液晶モジュールの動画評価セットを提供する。【解決手段】収容ボックスの設置面上にヒンジを介して折り返し機構63を回動可能に取り付ける。表面にメインモジュール３が設けられ裏面にサブモジュール11が設けられた液晶モジュール２を折り返し機構63に取り付ける。液晶モジュール２を折り返し機構63にて折り返すと、液晶モジュール２のメインモジュール３およびサブモジュール11に表示される動画を目視できる。メインモジュール３およびサブモジュール11それぞれの画像を容易に画質評価できる。【選択図】図１
2006227580.tif 000002
【特許請求の範囲】
【請求項１】
一主面に設けられた第１の液晶表示部と、前記一主面の反対側に位置する他主面に設けられた第２の液晶表示部とを有する略平板状の液晶表示装置の前記第１の液晶表示部および前記第２の液晶表示部それぞれに表示される画像を評価する液晶表示装置の評価装置であって、
前記液晶表示装置が設置される設置部と、
この設置部に設けられ前記液晶表示装置を前記設置部に回動可能に接続させ回動にて前記液晶表示装置の第１の液晶表示部および第２の液晶表示部のそれぞれを視認可能にする接続部と
を具備したことを特徴とした液晶表示装置の評価装置。
【請求項２】
接続部を設置部に回動可能に接続させる回動部を具備した
ことを特徴とした請求項１記載の液晶表示装置の評価装置。
【請求項３】
第１の液晶表示部および第２の液晶表示部を有する液晶表示装置の評価装置であって、
インターフェイス信号を出力する信号源と、
この信号源から出力されるインターフェイス信号を前記第１の液晶表示部および前記第２の液晶表示部それぞれに対応させて変換してこれら前記第１の液晶表示部および前記第２の液晶表示部のそれぞれに画像を表示させる表示回路とを具備し、
前記信号源は、選択によって前記第１の液晶表示部および第２の液晶表示部いずれかに画像を表示させる選択手段を備えた
ことを特徴とした液晶表示装置の評価装置。
【請求項４】
信号源は、シリアルインターフェイス信号を出力し、
前記信号源に接続されたＵＳＢケーブルと、
このＵＳＢケーブルに接続され、このＵＳＢケーブルを介して前記信号源から出力されたシリアルインターフェイス信号を、パラレルインターフェイス信号に変換して表示回路に送るシリアルパラレル変換手段とを具備した
ことを特徴とした請求項３記載の液晶表示装置の評価装置。
【請求項５】
シリアルパラレル変換手段に設けられ信号源から出力されたシリアルインターフェイス信号を出力させる出力手段を具備した
ことを特徴とする請求項４記載の液晶表示装置の評価装置。
【請求項６】
第１の液晶表示部および第２の液晶表示部を有する液晶表示装置の評価方法であって、
予め設定データが信号源に入力されて設定された設定ファイルの信号源への入力によって、前記設定データを前記信号源の表示部に表示させるとともに、前記第１の液晶表示部および第２の液晶表示部に画像を表示させるための信号を設定し、
第１の液晶表示部に画像を表示させる信号の入力によって、第１の液晶表示部に表示させる画像とこの画像のデータとのそれぞれを前記表示部に表示させるとともに、この画像を前記第１の液晶表示部に表示させ、
第２の液晶表示部に画像を表示させる信号の入力によって、第２の液晶表示部に表示させる画像とこの画像のデータとのそれぞれを前記表示部に表示させるとともに、この画像を前記第２の液晶表示部に表示させる
ことを特徴とした液晶表示装置の評価方法。
【請求項７】
第１の液晶表示部および第２の液晶表示部を有する液晶表示装置の評価プログラムであって、
予め設定データが信号源に入力されて設定された設定ファイルの信号源への入力によって、前記設定データを前記信号源の表示部に表示させるとともに、前記第１の液晶表示部および第２の液晶表示部に画像を表示させるための信号を設定するステップと、
第１の液晶表示部に画像を表示させる信号の入力によって、第１の液晶表示部に表示させる画像とこの画像のデータとのそれぞれを前記表示部に表示させるとともに、この画像を前記第１の液晶表示部に表示させるステップと、
第２の液晶表示部に画像を表示させる信号の入力によって、第２の液晶表示部に表示させる画像とこの画像のデータとのそれぞれを前記表示部に表示させるとともに、この画像を前記第２の液晶表示部に表示させるステップと
を具備したことを特徴とした液晶表示装置の評価プログラム。
【発明の詳細な説明】
【技術分野】
【０００１】
本発明は、第１の液晶表示部および第２の液晶表示部を有する液晶表示装置の評価装置、その方法およびそのプログラムに関する。
【背景技術】
【０００２】
従来、この種の液晶表示装置の評価装置である液晶モジュールの動画評価セットは、一側面のみに液晶表示部が設けられた液晶モジュールを備えた携帯電話機などの動画を評価するものであって、電子機器としてノート型パソコン（ＰＣ）を備えている。そして、このノート型パソコンには、表示部としての液晶ディスプレイが設けられている。さらに、このノート型パソコンには、ファイル系データ信号出入力用の第１のインターフェイス部と、カードバス信号出力用の第２のインターフェイス部とのそれぞれが設けられている。
【０００３】
また、このノート型パソコンの第１のインターフェイス部には、ＦＤＤ（Flexible Disk Drive）、ＣＤ−ＲＯＭ（Compact Disc Read-Only Memory）、ＤＶＤ（Digital Video Disk）あるいはＬＳ１２０（１２０Ｍスーパーディスク）などの情報記憶装置や、増設バッテリ、ＡＣ（Alternating Current）アダプタ、ＵＳＢ（Universal Serial Bus）コネクタなどが実装された拡張ユニットが取り付けられている。さらに、このノート型パソコンの第２のインターフェイス部には、ＰＣカード、通信装置あるいはプリンタなどの印刷装置や、スキャナなどの情報読取装置などが取り付けられている。
【０００４】
そして、このノート型パソコンの第１のインターフェイス部に拡張ユニットを取り付けてから、この拡張ユニットに携帯電話機を接続させる。この状態で、ノート型パソコンから、拡張ユニットを介して携帯電話機にファイル系データ信号を出入力させて、この携帯電話機の液晶モジュールの液晶表示部に動画を表示させるとともに、この液晶モジュールの液晶表示部に表示される動画データをノート型パソコンの液晶ディスプレイ上に表示させる構成が知られている（例えば、特許文献１参照。）。
【特許文献１】特開２００１−９２５６４号公報（第７−１１頁、図１および図２）
【発明の開示】
【発明が解決しようとする課題】
【０００５】
しかしながら、上述した液晶モジュールの動画評価セットでは、一側面のみに液晶表示部が設けられた液晶モジュールが取り付けられている携帯電話機でなければ、液晶モジュールの液晶表示部に表示される動画を評価できない。したがって、両側面それぞれに液晶表示部が設けられている液晶モジュールが取り付けられる携帯電話機などについては、この液晶モジュールの各液晶表示部に表示される動画を別個に評価しなければならないという問題を有している。
【０００６】
本発明は、このような点に鑑みなされたもので、複数の液晶表示部に表示される画像のそれぞれを容易に評価できる液晶表示装置の評価装置、その方法およびそのプログラムを提供することを目的とする。
【課題を解決するための手段】
【０００７】
本発明は、一主面に設けられた第１の液晶表示部と、前記一主面の反対側に位置する他主面に設けられた第２の液晶表示部とを有する略平板状の液晶表示装置の前記第１の液晶表示部および前記第２の液晶表示部それぞれに表示される画像を評価する液晶表示装置の評価装置であって、前記液晶表示装置が設置される設置部と、この設置部に設けられ前記液晶表示装置を前記設置部に回動可能に接続させ回動にて前記液晶表示装置の第１の液晶表示部および第２の液晶表示部のそれぞれを視認可能にする接続部とを具備したものである。
【０００８】
そして、設置部に設けた接続部に液晶表示装置の一端部を回動可能に接続させることにより、この接続部による液晶表示装置の回動によって、この液晶表示装置の第１の液晶表示部および第２の液晶表示部のそれぞれが視認可能となる。したがって、これら第１の液晶表示部および第２の液晶表示部に表示される画像のそれぞれを容易に評価できる。
【０００９】
また、第１の液晶表示部および第２の液晶表示部を有する液晶表示装置の評価装置であって、インターフェイス信号を出力する信号源と、この信号源から出力されるインターフェイス信号を前記第１の液晶表示部および前記第２の液晶表示部それぞれに対応させて変換してこれら前記第１の液晶表示部および前記第２の液晶表示部のそれぞれに画像を表示させる表示回路とを具備し、前記信号源は、選択によって前記第１の液晶表示部および第２の液晶表示部いずれかに画像を表示させる選択手段を備えたものである。
【００１０】
そして、信号源の選択手段にて選択して、液晶表示装置の第１の液晶表示部に画像を表示させて、この第１の液晶表示部に表示される画像を評価する。次いで、信号源の選択手段にて選択して、液晶表示装置の第２の液晶表示部に画像を表示させて、この第２の液晶表示部に表示される画像を評価する。この結果、選択手段による選択を変えるだけで、液晶表示装置の第１の液晶表示部および第２の液晶表示部のそれぞれに表示される画像を評価できるので、これら第１の液晶表示部および第２の液晶表示部に表示される画像のそれぞれを容易に評価できる。
【００１１】
さらに、第１の液晶表示部および第２の液晶表示部を有する液晶表示装置の評価方法であって、予め設定データが信号源に入力されて設定された設定ファイルの信号源への入力によって、前記設定データを前記信号源の表示部に表示させるとともに、前記第１の液晶表示部および第２の液晶表示部に画像を表示させるための信号を設定し、第１の液晶表示部に画像を表示させる信号の入力によって、第１の液晶表示部に表示させる画像とこの画像のデータとのそれぞれを前記表示部に表示させるとともに、この画像を前記第１の液晶表示部に表示させ、第２の液晶表示部に画像を表示させる信号の入力によって、第２の液晶表示部に表示させる画像とこの画像のデータとのそれぞれを前記表示部に表示させるとともに、この画像を前記第２の液晶表示部に表示させるものである。
【００１２】
そして、予め設定データが信号源に入力されて設定された設定ファイルの前記信号源への入力によって、設定データを信号源の表示部に表示させるとともに、第１の液晶表示部および第２の液晶表示部に画像を表示させるための信号を設定する。この状態で、第１の液晶表示部に画像を表示させる信号の入力によって、第１の液晶表示部に表示させる画像とこの画像のデータとのそれぞれを表示部に表示させるとともに、この画像を第１の液晶表示部に表示させる。また、第２の液晶表示部に画像を表示させる信号の入力によって、第２の液晶表示部に表示させる画像とこの画像のデータとのそれぞれを表示部に表示させるとともに、この画像を第２の液晶表示部に表示させる。したがって、第１の液晶表示部に画像を表示させる信号の入力あるいは第２の液晶表示部に画像を表示させる信号の入力によって、これら第１の液晶表示部あるいは第２の液晶表示部に表示させる画像を評価できるから、これら第１の液晶表示部および第２の液晶表示部に表示される画像のそれぞれを容易に評価できる。
【発明の効果】
【００１３】
本発明によれば、接続部に液晶表示装置の一端部を回動可能に接続させることにより、この接続部による液晶表示装置の回動によって、この液晶表示装置の第１の液晶表示部および第２の液晶表示部のそれぞれが視認可能となるから、これら第１の液晶表示部および第２の液晶表示部に表示される画像のそれぞれを容易に評価できる。
【００１４】
また、信号源の選択手段にて選択して液晶表示装置の第１の液晶表示部あるいは第２の液晶表示部に画像を表示させて、これら第１の液晶表示部あるいは第２の液晶表示部に表示される画像を評価するだけで、これら第１の液晶表示部および第２の液晶表示部のそれぞれに表示される画像を評価できるので、これら第１の液晶表示部および第２の液晶表示部に表示される画像のそれぞれを容易に評価できる。
【００１５】
さらに、第１の液晶表示部あるいは第２の液晶表示部に画像を表示させる信号の入力によって、これら第１の液晶表示部あるいは第２の液晶表示部に表示させる画像とこの画像のデータとのそれぞれが表示部に表示され、この画像が第１の液晶表示部あるいは第２の液晶表示部に表示される。したがって、第１の液晶表示部あるいは第２の液晶表示部に画像を表示させる信号の入力によって、これら第１の液晶表示部あるいは第２の液晶表示部に表示させる画像を評価できるので、これら第１の液晶表示部および第２の液晶表示部に表示される画像のそれぞれを容易に評価できる。
【発明を実施するための最良の形態】
【００１６】
以下、本発明の液晶表示装置の評価装置の第１の実施の形態の構成を図１ないし図４を参照して説明する。
【００１７】
図１および図２において、１は液晶表示装置の評価装置としての動画評価セットである。この動画評価セット１は、評価対象である携帯電話機用の液晶表示装置としての液晶ディスプレイ（Liquid Crystal Display:ＬＣＤ）モジュールである矩形平板状の液晶モジュール２に表示される動画を評価する装置である。そして、図３に示すように、この液晶モジュール２の一主面である表面には、第１の液晶表示部としてのメインＬＣＤであるメインモジュール３が取り付けられている。また、図４に示すように、この液晶モジュール２の他主面である裏面には、第２の液晶表示部としてのサブＬＣＤであるサブモジュール11が取り付けられている。すなわち、この液晶モジュール２は、メインモジュール３およびサブモジュール11一体型のＬＣＤモジュールである。また、動画評価セット１は、液晶モジュール２のメインモジュール３およびサブモジュール11のそれぞれに表示される動画をそれぞれ評価できる装置である。
【００１８】
そして、メインモジュール３は、平面表示パネルとしての矩形平板状の液晶パネル４を備えている。この液晶パネル４の一主面である表面上には、図示しない複数の信号線と複数の走査線とのそれぞれが格子状に配線されている。さらに、これら複数の信号線および走査線にて形成された領域内には、これら信号線および走査線のそれぞれに接続されたスイッチ素子としての画素ＴＦＴ（Thin Film Transistor）である図示しない薄膜トランジスタが設けられている。したがって、この薄膜トランジスタは、液晶パネル４上にマトリクス状に形成されている。よって、この液晶パネル４は、一水平走査時間内に複数の信号線を順次選択し、映像信号を印加する方式が用いられている。
【００１９】
さらに、メインモジュール３は、図２および図３に示すように、このメインモジュール３の液晶パネル４の各薄膜トランジスタを駆動させるドライバであるソースドライバ５およびゲートドライバ６が取り付けられている。これらソースドライバ５およびゲートドライバ６は、ＩＣ（Integrated Circuit）であって、液晶パネル４の表面の下側周縁に取り付けられている。また、この液晶パネル４の表面の下側の周縁には、図示しない電源ＩＣを取り付けることもできる。
【００２０】
そして、この液晶パネル４の表面の下側の周縁には、ソースドライバ５およびゲートドライバ６を介して液晶パネル４に動画を表示させるフレキシブル回路基板である矩形平板状のドライバ回路７の一側縁が接続されている。そして、このドライバ回路７は、液晶パネル４に接続された側である一側縁を湾曲させることによって、この液晶パネル４の裏面に対向して配設されている。
【００２１】
さらに、この液晶パネル４の裏面には、面状光源としての矩形平板状のバックライト８が対向して配設されている。このバックライト８は、光源としての図示しない光源用の発光ダイオード（Light Emitting Diode:ＬＥＤ）が内蔵されている。
【００２２】
また、サブモジュール11は、メインモジュール３より小型で、このメインモジュール３が設けられている側とは反対側の液晶パネル４の裏面である、メインモジュール３のバックライト８上に取り付けられている。このサブモジュール11は、メインモジュール３の裏面側に配設されており、このメインモジュール３とともに液晶モジュール２を構成する。そして、このサブモジュール11は、平面表示パネルとしての対角０．９型から１．２型までの大きさの矩形平板状の液晶パネル12を備えている。この液晶パネル12は、メインモジュール３の液晶パネル４より小型であるが、この液晶パネル４と同様に構成されている。
【００２３】
一方、動画評価セット１は、ノート型のパーソナルコンピュータ（ＰＣ）などである信号源21を備えている。この信号源21は、液晶モジュール２のメインモジュールおよびサブモジュールそれぞれのバックライト８に内蔵されている発光ダイオードを点灯させる電力を出力させる。同時に、この信号源21は、液晶モジュール２を駆動させて動画や画像を表示させるデジタルインターフェイス信号を出力させる。また、この信号源21には、種々の画像が表示可能な液晶表示部としてのモニタ部22が設けられている。
【００２４】
さらに、この信号源21には、カードバスが用いられたＰＣカード26が接続されている。ここで、このＰＣカード26とは、ＰＣＭＣＩＡ（Personal Computer Memory Card International Association）とＪＥＩＤＡ（日本電子工業振興協会）が共同で策定したノートパソコン向けの拡張カードの統一規格をいう。また、カードバスとは、ＰＣカード26で用いられるバス（データ伝送路）の規格をいう。
【００２５】
そして、この信号源21からは、ＰＣカード26を介して出力されたＰＣカードバス出力を用いてデジタルインターフェイス信号が取り出される。さらに、このＰＣカード26は、表示回路としての矩形平板状のデータ変換回路基板27を備えている。このデータ変換回路基板27には、図示しない発振回路が内蔵されたＦＰＧＡ（Field Programmable Gate Array）28と電源回路29とのそれぞれが実装されて設置されている。ここで、データ変換回路基板27は、ＦＰＧＡ28のみが変更されている。さらに、このＦＰＧＡ28には、信号源21からＰＣカードバス出力を用いて出力されたデジタルインターフェイス信号が入力される。
【００２６】
また、このＦＰＧＡ28は、信号源21から入力されたデジタルインターフェイス信号を、液晶モジュール２に必要なＣＰＵ（Central Processing Unit）インターフェイス信号に変換する回路機能を有している。さらに、このＦＰＧＡ28に内蔵された発振回路は、このＦＰＧＡ28の内部回路を同期させるためのクロック信号を生成する。また、データ変換回路基板27の電源回路29には、信号源21からＰＣカードバス出力を用いて出力された電力が入力されて、この電力の電圧を、例えば３Ｖから５Ｖへと変換する。
【００２７】
さらに、このデータ変換回路基板27には、ＦＰＧＡ28および電源回路29のそれぞれに電気的に接続されたコネクタ31が実装されて取り付けられている。このコネクタ31は、スカジー（Small Computer System Interface:ＳＣＳＩ）ケーブル32を介して、矩形平板状のピッチ変換回路基板33上に取り付けられた入力側のＳＣＳＩコネクタであるコネクタ34に接続されている。ここで、このピッチ変換回路基板33には、データ変換回路基板27のＦＰＧＡ28にて変換されたＣＰＵインターフェイス信号がスカジーケーブル32を介して送られて入力される。
【００２８】
そして、このピッチ変換回路基板33上には、出力側のコネクタ35が取り付けられている。このコネクタ35には、０．５ｍｍピッチの第１のＦＦＣ（フレキシブルフラットケーブル:Flexible flat cable）36が接続されている。そして、ピッチ変換回路基板33は、スカジーケーブル32のピッチを、第１のＦＦＣ36のピッチ、すなわち０．５ｍｍピッチにピッチ変換する。
【００２９】
また、この第１のＦＦＣ36は、装置別回路基板である矩形平板状のＬＣＤ製品別回路基板41上に設けられた入力側のコネクタ42に接続されている。このＬＣＤ製品別回路基板41には、ＣＰＵインターフェイス信号が第１のＦＦＣ36を介して送られて入力される。そして、このＬＣＤ製品別回路基板41上には、出力側のコネクタ43が設けられており、このコネクタ43には、液晶モジュール２に接続された第２のＦＦＣ44が接続されている。
【００３０】
したがって、ＬＣＤ製品別回路基板41は、ピッチ変換回路基板33から第１のＦＦＣ36を介して入力されたＣＰＵインターフェイス信号を、液晶モジュール２のメインモジュール３およびサブモジュール11それぞれの形式に対応させて変換させてから、コネクタ43および第２のＦＦＣ44を介してメインモジュール３およびサブモジュール11のそれぞれへと入力させて、これらメインモジュール３およびサブモジュール11それぞれの液晶パネル４,12に画像、すなわち動画を表示させる信号を供給する。同時に、このＬＣＤ製品別回路基板41は、データ変換回路基板27の電源回路29にて電圧が変化された電力の一部である入力電力を、スカジーケーブル32、ピッチ変換回路基板33、第１のＦＦＣ36および第２のＦＦＣ44のそれぞれを介して液晶モジュール２のメインモジュール３およびサブモジュール11のそれぞれへと入力させて、これらメインモジュール３およびサブモジュール11それぞれの各液晶パネル４,12を駆動させる。
【００３１】
さらに、このＬＣＤ製品別回路基板41上には、ＬＣＤ接続用のコネクタ45が設けられており、このコネクタ45は、入力側のコネクタ42とＬＥＤ点灯回路基板接続用のコネクタ43とのそれぞれに接続されている。さらに、このコネクタ45には、第３のＦＦＣ46が接続されている。この第３のＦＦＣ46は、光源点灯回路基板としての矩形平板状のＬＥＤ点灯回路基板51上に設けられたコネクタ52に接続されている。そして、このＬＥＤ点灯回路基板51上には、ＬＥＤ点灯回路53が実装されて配置されている。このＬＥＤ点灯回路53には、データ変換回路基板27の電源回路29にて電圧が変換された電力が、スカジーケーブル32、ピッチ変換回路基板33、第１のＦＦＣ36および第３のＦＦＣ46のそれぞれを介して入力される。
【００３２】
そして、このＬＥＤ点灯回路53は、ＬＥＤ点灯用電源であり、このＬＥＤ点灯回路53へと入力した電力を液晶モジュール２のメインモジュール３およびサブモジュール11それぞれの各発光ダイオードを点灯させて、これら各発光ダイオードにて構成されたバックライト８のそれぞれを点灯させるＬＥＤ点灯用電圧に変換する。さらに、このＬＥＤ点灯回路53は、このＬＥＤ点灯回路53にてＬＥＤ点灯用電圧に変換された電力が、第３のＦＦＣ46、ＬＣＤ製品別回路基板41および第２のＦＦＣ44を介して液晶モジュール２へと入力されて、この液晶モジュール２の各発光ダイオードを点灯させて、この液晶モジュール２のメインモジュール３およびサブモジュール11それぞれに表示される画像、すなわち動画を視認可能にする機能を有している。
【００３３】
ここで、このＬＥＤ点灯回路53は、ＬＣＤ製品別回路基板41と分離されて構成されている。さらに、このＬＥＤ点灯回路53は、液晶モジュール２のメインモジュール３およびサブモジュール11それぞれのバックライト８の各発光ダイオードが直列に接続されている場合に、これら各発光ダイオードを点灯させる直列用の図示しない制御回路と、これら各発光ダイオードが並列に接続されている場合に、これら各発光ダイオードを点灯させる並列用の図示しない制御回路とのそれぞれを備えている。したがって、このＬＥＤ点灯回路53は、液晶モジュール２の各バックライト８の発光ダイオードの接続方式ごとに図示しない切換スイッチを切り換えて使用できるように構成されている。言い換えると、このＬＥＤ点灯回路53は、液晶モジュール２の各バックライト８の発光ダイオードの接続が直列および並列のいずれの場合であっても、これら各発光ダイオードが点灯可能である。
【００３４】
なお、ＬＣＤ製品別回路基板41、このＬＣＤ製品別回路基板41上に設けられた各コネクタ42,43,45および第２のＦＦＣ44のそれぞれは、この第２のＦＦＣ44が接続される液晶モジュール２の製品にごとに設計し直して作り変えなければならない領域Ａである。
【００３５】
また、動画評価セット１は、図１に示すように、中空な直方体状の筐体としての設置部である収容ボックス61を備えている。この収容ボックス61には、ピッチ変換回路基板33が内部に収容され、この収容ボックス61の上側に位置するＬＣＤ固定部分としての設置面62上に、ＬＣＤ製品別回路基板41、ＬＥＤ点灯回路基板51および液晶モジュール２のそれぞれが搭載されている。さらに、この収容ボックス61には、第１のＦＦＣ36をＳ字状に湾曲させて、ピッチ変換回路基板33をＬＣＤ製品別回路基板41の下に重ね合わせて配設させることもできる。ここで、このピッチ変換回路基板33を、収容ボックス61上のＬＥＤ点灯回路基板51あるいは液晶モジュール２の下に重ね合わせて配置させることもできる。また、ＬＣＤ製品別回路基板41およびＬＥＤ点灯回路基板51のそれぞれは、収容ボックス61の設置面62の幅方向の一側に沿って並列されている。すなわち、これらＬＣＤ製品別回路基板41およびＬＥＤ点灯回路基板51のそれぞれは、収容ボックス61の設置面62の長手方向に沿って設けられている。
【００３６】
さらに、この収容ボックス61の設置面62上には、この設置面62上に液晶モジュール２を回動可能に設置させる接続部としての折り返し機構63が設けられている。この折り返し機構63は、収容ボックス61の設置面62上に液晶モジュール２を回動可能に接続させる回動部としての接続部であるヒンジ64を備えている。このヒンジ64は、取付フレーム65を介して液晶モジュール２の縦方向の一端である下端部を収容ボックス61の設置面62上に回動可能に接続させて、この液晶モジュール２の表面および裏面を折り返し可能とさせる。すなわち、このヒンジ64は、液晶モジュール２のメインモジュール３およびサブモジュール11それぞれの液晶パネル４,12に表示される動画が視認可能となるように、この液晶モジュール２を収容ボックス61の設置面62上に回動可能に連結させる。さらに、このヒンジ64は、収容ボックス61の設置面62の長手方向の一端部の他側に取り付けられてこの設置面62上に搭載されており、この設置面62の幅方向に沿った回転軸を有している。また、このヒンジ64は、収容ボックス61の幅方向の他側寄りの位置に設けられている。
【００３７】
そして、このヒンジ64には、ＬＣＤ固定部としての取付部材である矩形枠状の取付フレーム65の縦方向の一端である下端部が固定されている。この取付フレーム65は、液晶モジュール２を固定させる部分である。すなわち、この取付フレーム65は、この取付フレーム65の長手方向をヒンジ64の回転軸の軸方向に直交させつつ、この取付フレーム65の幅方向をヒンジ64の回転軸の軸方向に沿わせた状態で、このヒンジ64に接続されている。したがって、この取付フレーム65は、この取付フレーム65の幅方向を収容ボックス61の設置面62の幅方向に沿わせた状態で、この設置面62上に取り付けられている。そして、この取付フレーム65の中央部には、液晶モジュール２が取り付け可能な矩形状の取付開口部66が設けられている。この取付開口部66は、取付フレーム65の厚さ方向に貫通しており、液晶モジュール２の外形形状に略等しい矩形状に形成されている。
【００３８】
さらに、この取付開口部66には、液晶モジュール２が着脱可能に嵌合されて取り付けられる。具体的に、この取付開口部66には、取付フレーム65の縦方向および横方向に液晶モジュール２の縦方向および横方向のそれぞれを沿わせた状態で、この液晶モジュール２が取り付けられている。また、この取付開口部66には、ヒンジ64を介して取付フレーム65を回動させた際に、液晶モジュール２のサブモジュール11が取り付けられている側が収容ボックス61の設置面62に対向して設置されるように、液晶モジュール２が取り付けられている。したがって、この液晶モジュール２は、この液晶モジュール２の横方向を収容ボックス61の設置面62の幅方向に沿わせた状態で、この設置面62上に回動可能に設置される。また、この液晶モジュール２は、収容ボックス61の設置面62上に設置された状態で、この設置面62の幅方向の他側に設けられているとともに、この設置面62のＬＣＤ製品別回路基板41の他側に設置されており、この設置面62の長手方向に沿って取り付けられている。
【００３９】
よって、折り返し機構63は、液晶モジュール２のサブモジュール11が取り付けられている側を収容ボックス61の設置面62上に設置させた状態で、この液晶モジュール２のメインモジュール３の液晶パネル４に表示される動画の評価を可能にする。さらに、この折り返し機構63は、この折り返し機構63のヒンジ64を介して液晶モジュール２の上側を上方に向けて回動させて、この液晶モジュール２の縦方向が鉛直方向に略沿う状態まで折り返すことによって、この液晶モジュール２のサブモジュール11の液晶パネル12に表示される動画の評価を可能にする。したがって、この折り返し機構63は、収容ボックス61の設置面62上に設置されている液晶モジュール２のメインモジュール３およびサブモジュール11それぞれの液晶パネル４,12に表示される動画の評価を可能にする。
【００４０】
さらに、折り返し機構63は、液晶モジュール２の横方向を収容ボックス61の設置面62の幅方向に沿わせた状態で、この液晶モジュール２を回動可能に収容ボックス61の設置面62上に接続させている。したがって、この折り返し機構63は、収容ボックス61の設置面62に設置されて取り付けられている液晶モジュール２をヒンジ64にて回動させることによって、この液晶モジュール２のメインモジュール３およびサブモジュール11それぞれの液晶パネル４,12に表示される動画を同時に評価可能にする。
【００４１】
また、収容ボックス61の幅方向における他側には、この収容ボックス61の他側を上下方向に向けてスライド移動可能にさせるスライド機構67が設けられている。このスライド機構67は、収容ボックス61の幅方向における他側を、この収容ボックス61の幅方向における一側に対して上下動させて、この収容ボックス61の設置面62を角度調整することによって、液晶モジュール２のメインモジュール３およびサブモジュール11に表示される動画の画質評価を容易にさせる。
【００４２】
さらに、このスライド機構67は、収容ボックス61の設置面62の長手方向の傾斜角度を調整可能にする。すなわち、このスライド機構67は、収容ボックス61の長手方向の一端である前端側から、この収容ボックス61の設置面62に液晶モジュール２のサブモジュール11側を対向させた状態でこの液晶モジュール２のメインモジュール３の液晶パネル４に表示される動画を視認できるように、この設置面62の長手方向の傾斜角度を調整可能として、この設置面62上の液晶モジュール２の縦方向の傾斜角度を調整可能にさせる。
【００４３】
次に、上記第１の実施の形態の動作について説明する。
【００４４】
まず、信号源21からＰＣカード26によるＰＣカードバス出力を用いて取り出されたデジタルインターフェイス信号は、データ変換回路基板27のＦＰＧＡ28へと出力される。
【００４５】
このとき、このＦＰＧＡ28によって、信号源21から入力されたデジタルインターフェイス信号を、液晶モジュール２のメインモジュール３およびサブモジュール11のそれぞれに必要なＣＰＵインターフェイス信号に変換する。同時に、このＦＰＧＡ28に内蔵された発振回路は、このＦＰＧＡ28の内部回路を同期させるためのクロック信号を生成する。
【００４６】
また、信号源21からＰＣカード26によるＰＣカードバス出力を用いて取り出された電力は、データ変換回路基板27の電源回路29へと出力される。このとき、この電源回路29によって、この電源回路29へと入力した電力の電圧が変換される。
【００４７】
次いで、ＦＰＧＡ28にて変換されたＣＰＵインターフェイス信号は、ピッチ変換回路基板33へと出力される。
【００４８】
このとき、このピッチ変換回路基板33によって、スカジーケーブル32のピッチを、第１のＦＦＣ36のピッチにピッチ変換する。
【００４９】
さらに、このピッチ変換回路基板33にてピッチ変換された後、ＣＰＵインターフェイス信号がＬＣＤ製品別回路基板41へと出力される。
【００５０】
このとき、このＬＣＤ製品別回路基板41によって、ピッチ変換回路基板33から入力されたＣＰＵインターフェイス信号が液晶モジュール２のメインモジュール３およびサブモジュール11それぞれの形式に対応させて変換される。
【００５１】
次いで、このＬＣＤ製品別回路基板41にて変換されたＣＰＵインターフェイス信号は、液晶モジュール２のメインモジュール３およびサブモジュール11それぞれへと送られて、これらメインモジュール３およびサブモジュール11それぞれの液晶パネル４,12に動画を表示させる信号が供給される。
【００５２】
同時に、このＬＣＤ製品別回路基板41によって、データ変換回路基板27の電源回路29にて電圧が変化された電力の一部である入力電力が液晶モジュール２のメインモジュール３およびサブモジュール11それぞれへと送られて、これらメインモジュール３およびサブモジュール11それぞれの液晶パネル４,12を駆動させる。
【００５３】
さらに、データ変換回路基板27の電源回路29にて電圧が変化された残りの電力は、ＬＥＤ点灯回路基板51のＬＥＤ点灯回路53へと出力される。
【００５４】
このとき、このＬＥＤ点灯回路53によって、このＬＥＤ点灯回路53へと出力された電力が液晶モジュール２のメインモジュール３およびサブモジュール11それぞれのバックライト８の各発光ダイオードを点灯させるＬＥＤ点灯用電圧に変換される。
【００５５】
この後、このＬＥＤ点灯回路53にてＬＥＤ点灯用電圧に変換された電力は、液晶モジュール２のメインモジュール３およびサブモジュール11それぞれのバックライト８へと出力されて、これらバックライト８それぞれの各発光ダイオードを点灯させ、メインモジュール３およびサブモジュール11それぞれの液晶パネル４,12に表示される動画を視認可能にする。
【００５６】
上述したように、上記第１の実施の形態によれば、表面にメインモジュール３が設けられ裏面にサブモジュール11が設けられた液晶モジュール２を、折り返し機構63の取付フレーム65の取付開口部66に嵌合させて取り付ける。そして、この液晶モジュール２のサブモジュール11側を収容ボックス61の設置面62に対向させた状態で、この液晶モジュール２のメインモジュール３およびサブモジュール11それぞれの液晶パネル４,12に動画を表示させる。
【００５７】
このとき、この液晶モジュール２のメインモジュール３側が上側に向いているので、このメインモジュール３の液晶パネル４に表示されている動画を目視できる。したがって、このメインモジュール３の液晶パネル４に表示されている動画を目視することによって、このメインモジュール３の液晶パネル４に表示されている動画を評価できる。
【００５８】
次いで、液晶モジュール４のサブモジュール11を視認できるように折り返し機構63のヒンジ64を介して液晶モジュール２を回動させると、このサブモジュール11の液晶パネル12に表示されている動画を目視できる。よって、このサブモジュール11の液晶パネル12に表示されている動画を目視することによって、このサブモジュール11の液晶パネル12に表示されている動画を評価できる。
【００５９】
この結果、収容ボックス61の設置面62上に設置された液晶モジュール２を折り返し機構63のヒンジ64にて回動させて折り返すことによって、この液晶モジュール２のメインモジュール３およびサブモジュール11それぞれの液晶パネル４,12に表示される動画を目視できる。したがって、これらメインモジュール３およびサブモジュール11それぞれの液晶パネル４,12に表示される動画を目視することによって、これらメインモジュール３およびサブモジュール11それぞれの液晶パネル４,12に表示される画像を評価できる。
【００６０】
よって、一般的に折り畳み式の携帯電話機などに用いられ表面にメインモジュール３が設けられ裏面にサブモジュール11が設けられた一体型の液晶モジュール２を収容ボックス61の設置面62上に搭載できる。また、液晶モジュール２を裏返して動画評価セット１に付け替えたりすることなく、この液晶モジュール２のメインモジュール３およびサブモジュール11それぞれの液晶パネル４,12を同時かつ容易に評価できる。したがって、折り畳み式の携帯電話機の使用方法と同様の方法で、液晶モジュール２のメインモジュール３およびサブモジュール11それぞれの液晶パネル４,12を視認できて評価できる。
【００６１】
また、信号源21からＰＣカード26を介してＰＣカードバス出力を用いてデジタルインターフェイス信号をデータ変換回路基板27へと出力させたことにより、このデジタルインターフェイス信号の転送スピードを大幅に向上できるとともに、ＬＣＤ製品別回路基板41に接続された液晶モジュール２に１５フレーム／秒から３０フレーム／秒程度、すなわち最大３０フレーム／秒までの動画映像を表示できる。したがって、液晶モジュール２のメインモジュール３およびサブモジュール11それぞれの液晶パネル４,12を、最大３０フレーム／秒までの動画映像について評価できる。
【００６２】
なお、上記第１の実施の形態では、液晶モジュール２のサブモジュール11側が収容ボックス61の設置面62に対向するように、この液晶モジュール２を折り返し機構63の取付フレーム65に取り付けたが、この液晶モジュール２のメインモジュール３側が収容ボックス61の設置面62に対向するように、この液晶モジュール２を折り返し機構63の取付フレーム65に取り付けてもよい。
【００６３】
さらに、折り返し機構63の取付フレーム65をヒンジ64を介して収容ボックス61の設置面62上に回動可能に取り付けたが、この取付フレーム65に取り付けられる液晶モジュール２を収容ボックス61の設置面62上で回動できる構成であればヒンジ64以外の構成の回動部であっても対応させて用いることができる。
【００６４】
また、図６に示す第２の実施の形態のように、この液晶モジュール２のメインモジュール３とサブモジュール11とのそれぞれを上側に向けて収容ボックス61の設置面62上に設置させることもできる。ここで、図８および図９に示すように、このサブモジュール11のソースドライバ５およびゲートドライバ６は、一体的に構成されてソース／ゲートドライバ70として構成されている。
【００６５】
そして、図５に示すように、動画評価セット１の信号源21のモニタ部22には、メインモジュール３の液晶パネル４のみに画像を表示させる選択手段としてのメインモジュール３用のセレクトボタン71と、サブモジュール11の液晶パネル12のみに画像を表示させる選択手段としてのサブモジュール11用のセレクトボタン72とのそれぞれが表示されて設けられている。よって、この動画評価セット１は、セレクトボタン71,72のいずれかを選択してクリックすることによって、メインモジュール３あるいはサブモジュール11いずれかの液晶パネル４,12のみに画像を表示させる。
【００６６】
さらに、信号源21のモニタ部22の正面視右側には、矩形状のピクチャドロウ（Picture Draw）領域73が設けられて表示されている。このピクチャドロウ領域73内の上側には、レジスタ（Register）設定ファイル入力用のDLL（Dynamic Link Library） File領域74が設けられている。ここで、このレジスタ設定ファイルは、メインモジュール３のソースドライバ５用およびゲートドライバ６用と、サブモジュール11のソース／ゲートドライバ70用とのそれぞれのレジスタに対応させて設けられている。
【００６７】
そして、このDLL File領域74には、このDLL File領域74に入力するレジスタ設定ファイルを選択するためのセレクトボタン75が設けられている。さらに、このピクチャドロウ領域73内のDLL File領域74の下側には、メインモジュール３あるいはサブモジュール11の液晶パネル４,12に画像を表示させる際の画像転送スピードを表示する転送スピード表示領域76が設けられている。
【００６８】
また、このピクチャドロウ領域73内の転送スピード表示領域76の下側の左側には、メインモジュール３の液晶パネル４に表示させる画像の画面データを表示させるメイン液晶用画面データ表示部としてのメイン画面データ表示部77が設けられている。さらに、このピクチャドロウ領域73内の転送スピード表示領域76の下側の右側には、サブモジュール11の液晶パネル12に表示させる画像の画面データを表示させるサブ液晶用画面データ表示部としてのサブ画面データ表示部78が設けられている。また、このピクチャドロウ領域73内のメイン画面データ表示部77およびサブ画面データ表示部78それぞれの下側には、メインモジュール３あるいはサブモジュール11いずれかの液晶パネル４,12に表示させる画像のプレビュを表示させる画面プレビュ部79が設けられている。
【００６９】
さらに、信号源21のモニタ部22の正面視左側には、コマンドテスト（Command Test）を表示するコマンドテスト表示領域81が設けられて表示されている。このコマンドテスト表示領域81内の正面視左側には、セレクトボタン71,72にて選択されてDLL File領域74に入力されたレジスタ設定ファイルに対応したレジスタ設定データを表示するレジスタ設定データ表示部82が設けられている。このレジスタ設定データ表示部82には、レジスタ設定データをアドレス（Address）とコメント（Comment）とに分けて表示する。また、このコマンドテスト表示領域81内の正面視右側には、シークエンス（Sequence）設定データ表示部83が設けられている。このシークエンス設定データ表示部83には、シークエンス設定データをアドレス（Address）とライトデータ（Write Date）とコメント（Comment）とに分けて表示する。
【００７０】
ここで、信号源21は、メインモジュール３用のセレクトボタン71をクリックした場合に、この信号源21からメインモジュール３の液晶パネル４のみに動画を表示させるためのＣＰＵインターフェイス信号を出力させる。また、この信号源21は、サブモジュール11用のセレクトボタン72をクリックした場合に、この信号源21からサブモジュール11の液晶パネル12のみに動画を表示させるためのＣＰＵインターフェイス信号を出力させる。したがって、この信号源21には、メインモジュール３の液晶パネル４の表示とサブモジュール11の液晶パネル12の表示とを切り替えるソフトウェアがインストールされている。
【００７１】
一方、図６に示すように、動画評価セット１の収容ボックス61の設置面62上には、メインモジュール３とサブモジュール11とのそれぞれが設置されている。そして、この動画評価セット１のＦＰＧＡ28は、信号源21から入力されたデジタルインターフェイス信号を、メインモジュール３およびサブモジュール11のそれぞれに必要な２系統のＣＰＵインターフェイス信号に分離変換する回路機能を有している。さらに、この動画評価セット１のＬＣＤ製品別回路基板41には、先端側が二股に分かれた構成のフレキシブルプリント基板（Flexible Printed Circuit:ＦＰＣ）である第１のＦＰＣ91の基端側が接続されている。ここで、この第１のＦＰＣ91を、ＦＦＣ（フレキシブルフラットケーブル:Flexible flat cable）にて構成することもできる。
【００７２】
さらに、この第１のＦＰＣ91の基端側は、ＬＣＤ製品別回路基板41のコネクタ45に接続されている。また、この第１のＦＰＣ91の二股に分かれた一方の分岐片92の先端側は、メインモジュール３に接続されている。さらに、この第１のＦＰＣ91の二股に分かれた他方の分岐片93の先端側は、サブモジュール11に電気的に接続されている。そして、この第１のＦＰＣ91の一方の分岐片92は、この第１のＦＰＣ91の基端側から直角に屈曲している。さらに、この第１のＦＰＣ91の他方の分岐片93はこの第１のＦＰＣ91の基端側から一方の分岐片92が屈曲した部分より直線状に突出した後に、この一方の分岐片92の屈曲方向に向けて直角に屈曲している。そして、この他方の分岐片93よりも一方の分岐片92が突出しており、この一方の分岐片92の側方にサブモジュール11が設置される。
【００７３】
また、図７に示すように、ＬＥＤ点灯回路基板51上には、第２のＬＥＤ点灯回路94が実装されて配置されている。この第２のＬＥＤ点灯回路94には、データ変換回路基板27の電源回路29にて電圧が変換された電力が、スカジーケーブル32、第１のＦＦＣ36、ピッチ変換回路基板33および第３のＦＦＣ46のそれぞれを介して入力される。また、この第２のＬＥＤ点灯回路94は、第１のＬＥＤ点灯回路であるＬＥＤ点灯回路53と同様に構成されており、この第２のＬＥＤ点灯回路94へと入力した電力をサブモジュール11のバックライト８の各発光ダイオードを点灯させるＬＥＤ点灯用電圧に変換する。
【００７４】
さらに、この第２のＬＥＤ点灯回路94は、この第２のＬＥＤ点灯回路94にてＬＥＤ点灯用電圧に変換された電力が、第３のＦＦＣ46、ＬＣＤ製品別回路基板41および第１のＦＰＣ91を介してサブモジュール11へと入力されて、このサブモジュール11のバックライト８の各発光ダイオードを点灯させて、このサブモジュール11に表示される画像、すなわち動画を視認可能にする機能を有している。したがって、このＬＥＤ点灯回路基板51は、ＬＥＤ点灯回路53および第２のＬＥＤ点灯回路94によって２系統のＬＥＤ点灯電圧を出力させる。具体的に、このＬＥＤ点灯回路基板51は、ＬＥＤ点灯回路53および第２のＬＥＤ点灯回路94にてメインモジュール３およびサブモジュール11それぞれのバックライト８の各発光ダイオードを点灯させて、これら各発光ダイオードにて構成されたバックライト８を点灯できる２系統のＬＥＤ点灯電圧を出力させる。
【００７５】
そして、ＬＣＤ製品別回路基板41は、第１のＦＰＣ91を介してメインモジュール３およびサブモジュール11のそれぞれにＣＰＵインターフェイス信号および入力電源を供給する。さらに、このＬＣＤ製品別回路基板41は、ＬＥＤ点灯回路基板51上のＬＥＤ点灯回路53および第２のＬＥＤ点灯回路94から第３のＦＦＣ46を介して供給されるＬＥＤ点灯用電源のそれぞれを第１のＦＰＣ91を介してメインモジュール３およびサブモジュール11のそれぞれに供給する。
【００７６】
具体的に、このＬＣＤ製品別回路基板41は、メインモジュール３およびサブモジュール11に入力させる２系統のＣＰＵインターフェイス信号それぞれのうち、データ（ＤＡＴＡ）信号、ライト（ＷＲ）信号、リード（ＲＤ）信号およびリセット（ＲＳＴ）信号のそれぞれについてはメインモジュール３およびサブモジュール11のそれぞれに対応するように共用させている。さらに、このＬＣＤ製品別回路基板41は、メインモジュール３およびサブモジュール11に入力させるＣＰＵインターフェイス信号のうち、チップセレクト（ＣＳ）信号についてはメインモジュール３およびサブモジュール11に対応するように変換させてから、これらメインモジュール３およびサブモジュール11に分けて入力させる。
【００７７】
次に、上記第２の実施の形態の動作について説明する。
【００７８】
まず、信号源21のモニタ部22に表示されているDLL File領域74のセレクトボタン75をクリックして、このDLL File領域74に予め入力されて設定された所定のレジスタ設定ファイルを入力させる（ステップ１）。
【００７９】
このとき、このレジスタ設定ファイルに対応して予め入力されて設定されたレジスタ設定データが、モニタ部22上のレジスタ設定データ表示部82に表示されると同時に、メインモジュール３およびサブモジュール11に画像を表示させるための信号である、メインモジュール３上のそれぞれに配置されているソースドライバ５およびゲートドライバ６それぞれ用のレジスタと、サブモジュール11上に配置されているソース／ゲートドライバ70それぞれ用のレジスタが設定される。
【００８０】
この後、信号源21のモニタ部22に表示されているメインモジュール３用のセレクトボタン71をクリックして、信号源21内のメインモジュール３用の画面データであるビットマップデータを選択してメイン画面データ表示部77に表示させて入力する（ステップ２）。
【００８１】
このとき、このメイン画面データ表示部77に表示されたメインモジュール３用のビットマップデータに基づいた画像が、信号源21のモニタ部22の画面プレビュ部79にプレビュされて表示されると同時に、メインモジュール３の液晶パネル４に表示される。
【００８２】
また、信号源21のモニタ部22に表示されているサブモジュール11用のセレクトボタン72をクリックして、信号源21内のサブモジュール11用の画面データであるビットマップデータを選択してサブ画面データ表示部78に表示させて入力する（ステップ３）。
【００８３】
このとき、このサブ画面データ表示部78に表示されたサブモジュール11用のビットマップデータに基づいた画像が、信号源21のモニタ部22の画面プレビュ部79にプレビュされて表示されると同時に、サブモジュール11の液晶パネル12に表示される。
【００８４】
次いで、信号源21のモニタ部22に表示されている転送スピード表示領域76に、動画を表示させるときのスピードを数字入力して、これらメインモジュール３あるいはサブモジュール11の液晶パネル４,12に動画を表示させる（ステップ４）。
【００８５】
ここで、これらメインモジュール３およびサブモジュール11それぞれの液晶パネル４,12には、例えば１７６画素×２２０画素時で最速３０フレーム／秒の動画表示が可能である。また、これら液晶パネル４,12が一般的に携帯電話機に用いられるＱＶＧＡ（Quarter Video Graphics Array:２４０画素×３２０画素）の場合には、最大１５フレーム／秒の動画表示が可能である。
【００８６】
上述したように、上記第２の実施の形態によれば、動画評価セット１のＦＰＧＡ28が、信号源21から入力されたデジタルインターフェイス信号を、メインモジュール３およびサブモジュール11のそれぞれに必要な２系統のＣＰＵインターフェイス信号に分離変換するので、この分離変換された２系統のＣＰＵインターフェイス信号にてメインモジュール３およびサブモジュール11それぞれの液晶パネル４,12に画像を表示できる。また、ＬＥＤ点灯回路基板51のＬＥＤ点灯回路53および第２のＬＥＤ点灯回路94にて２系統のＬＥＤ点灯電圧を出力できるから、この２系統のＬＥＤ点灯電圧によってメインモジュール３およびサブモジュール11それぞれのバックライト８の各発光ダイオードを点灯できる。
【００８７】
この状態で、信号源21のモニタ部22に表示されているメインモジュール３用のセレクトボタン71を選択してクリックすることにより、収容ボックス61の設置面62上に設置されたメインモジュール３の液晶パネル４に画像が表示されて、この液晶パネル４の画質評価が可能となる。同様に、信号源21のモニタ部22に表示されているサブモジュール11用のセレクトボタン72を選択してクリックすることにより、収容ボックス61の設置面62上に設置されたサブモジュール11の液晶パネル12に画像が表示されて、この液晶パネル12の画質評価が可能となる。
【００８８】
したがって、これらセレクトボタン71,72の選択を変えてクリックするだけで、メインモジュール３およびサブモジュール11それぞれの液晶パネル４,12に画像を表示できるともに、これらメインモジュール３およびサブモジュール11それぞれのバックライト８の各発光ダイオードを点灯できる。このため、これらメインモジュール３およびサブモジュール11それぞれの液晶パネル４,12に表示される画像が視認できるから、これらメインモジュール３およびサブモジュール11それぞれの液晶パネル４,12に表示される画像を容易に画質評価できるので、上記第１の実施の形態と同様の作用効果を奏することができる。
【００８９】
なお、上記第２の実施の形態では、ソースドライバ５およびゲートドライバ６あるいはソース／ゲートドライバ70がメインモジュール３用とサブモジュール11用とに別個に設けられた構成について説明したが、図１０および図１１に示す第３の実施の形態のように、これらメインモジュール３用のソースドライバ５およびゲートドライバ６と、サブモジュール11用のソースドライバ５およびゲートドライバ６あるいはソース／ゲートドライバ70とが一体型のソース／ゲートドライバ96としてさらには、図１２および図１３に示す第４の実施の形態のように、メインモジュール・サブモジュール用ソース／ゲートドライバ97一体型として構成して、これらメインモジュール３およびサブモジュール11それぞれの液晶パネル４,12に画像を表示できる構成とすることもできる。具体的に、このソース／ゲートドライバ96は、メインモジュール３が取り付けられている液晶モジュール２の表面側に取り付けられている。
【００９０】
また、上記第１ないし第４実施の形態では、メインモジュール３およびサブモジュール11の計２個の液晶表示部を備えた液晶モジュール２について説明したが、２個以上、すなわち複数の液晶表示部を備えた液晶モジュール２であっても対応させて用いることができる。
【００９１】
さらに、図１４ないし図１６に示す第５の実施の形態のように、ＵＳＢ(Universal Serial Bus)ケーブル101を介して信号源21からシリアルデジタルインターフェイス信号を出力させて、このシリアルデジタルインターフェイス信号をシリアルパラレル変換回路102にてパラレルデジタルインターフェイス信号に変換してからＦＰＧＡ28へと送って入力させる構成とすることもできる。ここで、このＵＳＢケーブル101は、このＵＳＢケーブル101の一端部が信号源21に設けられているＵＳＢ出力に接続されており、この信号源21から出力されるシリアルデジタルインターフェイス信号を取り出させる。
【００９２】
さらに、信号源21のＵＳＢ出力からは、シリアルデジタルインターフェイス信号が出力され、このＵＳＢ出力にＵＳＢケーブル101が接続されている。また、このＵＳＢケーブル101は、このＵＳＢケーブル101の他端部が、コネクタ104に接続されており、このコネクタ104がシリアルパラレル変換回路102に接続されている。このシリアルパラレル変換回路102は、シリアルパラレル変換手段としてのシリアルパラレル変換基板であって、ＵＳＢケーブル101を介して信号源21から出力されたシリアルデジタルインターフェイス信号をパラレルデジタルインターフェイス信号に変換する。
【００９３】
そして、このシリアルパラレル変換回路102には、フレームメモリ回路103が接続されている。このフレームメモリ回路103は、シリアルパラレル変換回路102にて変換されたパラレルデジタルインターフェイス信号を蓄える。具体的に、このフレームメモリ回路103は、メモリ容量として、例えばＱＶＧＡ(Quarter Video Graphics Array)画素(２４０×３２０画素)以上、ＶＧＡ(Video Graphics Array)画素(４８０×６４０画素)以下の容量を有している。
【００９４】
さらに、このフレームメモリ回路103は、ＦＰＧＡ28に接続されており、このフレームメモリ回路103に蓄えたパラレルデジタルインターフェイス信号がＦＰＧＡ28へと送られて、このＦＰＧＡ28にて液晶モジュール２での映像表示に必要なＣＰＵインターフェイス信号に変換される。さらに、このＣＰＵインターフェイス信号は、コネクタ31および第１のＦＦＣ36を介してＬＣＤ製品別回路基板41へと送られる。
【００９５】
ここで、ＦＧＰＡ28は、コネクタ31に接続されており、このコネクタ31が第１のＦＦＣ36に接続されている。また、この第１のＦＦＣ36は、０．５ｍｍピッチのＦＦＣであって、ＬＣＤ製品別回路基板41に接続されている。さらに、このＬＣＤ製品別回路基板41へと送られたＣＰＵインターフェイス信号は、第２のＦＦＣ44を介して液晶モジュール２へと送られる。
【００９６】
一方、この液晶モジュール２に映像を表示させるために必要な電源は、信号源21のＵＳＢ出力から、例えば５Ｖの直流電圧が出力され、この５Ｖの直流電圧がデータ変換回路基板27の電源回路29へと送られて、この電源回路29にて液晶モジュール２に映像に表示させるために必要な電源、例えば１．８Ｖ以上３．０Ｖ以下の直流電圧に変換されてからＬＣＤ製品別回路基板41を介して液晶モジュール２へと送られる。さらに、信号源21のＵＳＢ出力から出力された５Ｖの直流電圧は、ＬＥＤ点灯回路基板51にも送られて、液晶パネル12のバックライト８に使用されている白色ＬＥＤなどを点灯させるために必要な電源に調整されてから、この液晶パネル12のバックライトへと送られる。
【００９７】
さらに、データ変換回路基板27は、ＦＰＧＡ28、電源回路29、シリアルパラレル変換回路102、フレームメモリ回路103およびコネクタ31,104にて構成されている。そして、このデータ変換回路基板27は、図１５および図１６に示すように、収容ボックス61内に収容されている。また、この収容ボックス61の設置面62上には、ＬＣＤ製品別回路基板41、ＬＥＤ点灯回路基板51および液晶パネル12のそれぞれが設置されている。
【００９８】
そして、この収容ボックス61の設置面62上には、この収容ボックス61の設置面62に設置されているＬＣＤ製品別回路基板41、ＬＥＤ点灯回路基板51および液晶パネル12のそれぞれ覆うように保護プレートとしてのアクリル板105が設置されている。このアクリル板105は、一対の断面矩形棒状の支持材106にて支持されて収容ボックス61の設置面62に対して所定の間隙を介して設置されている。そして、この支持材106は、この支持材106の一方が収容ボックス61の幅方向に沿ってスライド可能、すなわち移動可能に構成されている。
【００９９】
上述したように、上記第５の実施の形態によれば、信号源21のＵＳＢ出力から出力されたシリアルデジタルインターフェイス信号をＵＳＢケーブル101にてシリアルパラレル変換回路102へと出力させて、このシリアルパラレル変換回路102にてパラレルデジタルインターフェイス信号に変換してからフレームメモリ回路103に蓄えさせ、このフレームメモリ回路103に蓄えたパラレルデジタルインターフェイス信号をＦＰＧＡ28へと送られて液晶パネル12での映像表示に必要なＣＰＵインターフェイス信号に変換されてから、ＬＣＤ製品別回路基板41へと送らせて液晶パネル12へと送られる構成とした。
【０１００】
この結果、１台の信号源21から出力されるシリアルデジタルインターフェイス信号で、液晶パネル12の動画映像を最大で３０フレームまで動画表示できる。したがって、この液晶パネル12に表示される動画映像を目視して確認することによって、この液晶パネル12の出画を容易に評価できるので、上記第１の実施の形態と同様の作用効果を奏することができる。また、動画評価セット１の大きさが大きくなることはないので、持ち運び性にも優れている。
【０１０１】
さらに、図１７に示す第６の実施の形態のように、信号源21のＵＳＢ出力に一端部が接続されたＵＳＢケーブル101の他端部をＵＳＢ分配器111に接続させ、このＵＳＢ分配器111に複数のＵＳＢケーブル101の一端部を接続させて、信号源21から出力されたシリアルデジタルインターフェイス信号を、ＵＳＢ分配器111にて分配して複数の動画評価セット１に分配させて、これら動画評価セット１のそれぞれにて液晶パネル12を同時に評価することもできる。
【０１０２】
そして、このＵＳＢ分配器111は、一般的に市販されているものであり、信号源21のＵＳＢ出力に接続されているＵＳＢケーブル101から入力されるシリアルデジタルインターフェイス信号を、このＵＳＢ分配器111の出力側に接続されているＵＳＢケーブル101のそれぞれへと分配させて出力させる。この結果、これらＵＳＢケーブル101の他端部に接続されている複数の動画評価セット１にて液晶パネル12の液晶モジュール２の出画を同時に評価できる。さらに、これら複数の動画評価セット１の仕様を変更することにより、画素数の異なる液晶パネル12の出画も同時に評価できるので、画素数の違いによる液晶パネル12の解像度の違いなどの比較も可能になる。
【０１０３】
また、図１８ないし図２１に示す第７の実施の形態のように、シリアルパラレル変換回路102にＵＳＢ入出力が可能な出力側の出力手段としてのコネクタ121を設けて、このコネクタ121を介して複数の動画評価セット１を直列に接続することもできる。このコネクタ121は、他の動画評価セット１に接続されたＵＳＢケーブル101が接続可能に構成されている。また、このコネクタ121は、シリアルパラレル変換回路102の入力側のコネクタ104の反対側の位置に設けられ、収容ボックス61から一部が突出している。そして、このコネクタ121に一端部を接続させたＵＳＢケーブル101は、入力側のコネクタ104に接続されているＵＳＢケーブル101が突出している収容ボックス61の一側面の反対側に位置する他側面から外側に向けて突出している。
【０１０４】
そして、信号源21には、ＵＳＢ入出力が設けられており、このＵＳＢ入出力にＵＳＢケーブル101の一端部が接続されている。そして、このＵＳＢケーブル101の他端部は、シリアルパラレル変換回路102の入力側のコネクタ104に接続されている。そして、このシリアルパラレル変換回路102の出力側のコネクタ121にもまた、別のＵＳＢケーブル101の一端部が接続されており、このＵＳＢケーブル101の他端部は、別の動画評価セット１のシリアルパラレル変換回路102の入力側のコネクタ104に接続されている。
【０１０５】
この結果、図２１に示すように、１台の信号源21のＵＳＢ入出力に接続されたＵＳＢケーブル101を介して複数のＵＳＢケーブル101にて複数の動画評価セット１を直列に接続させることができる。この場合、これらＵＳＢケーブル101にて直列に接続された動画評価セット１には、信号源21から出力されたシリアルデジタルインターフェイス信号がシリアルパラレル変換回路102にて変換されずに出力側のコネクタ121から出力されて、このコネクタ121にＵＳＢケーブル101を介して接続されている動画評価セット１へと入力される。
【０１０６】
さらに、この動画評価セット１中のフレームメモリ回路103に映像データが保持されると、この映像データの保持完了の信号がシリアルパラレル変換回路102を介して、信号源21に接続されている動画評価セット１へと送られる。そして、この動画評価セット１は、映像データ保持完了信号の認識によって、信号源21から送られるシリアルデジタルインターフェイス信号をシリアルパラレル変換回路102にてパラレルデジタルインターフェイス信号に変換した後にフレームメモリ回路103へと送られて液晶パネル12に映像が表示される。
【０１０７】
したがって、これら複数の動画評価セット１にて液晶パネル12の液晶モジュール２の出画を同時に評価できるから、上記第６の実施の形態と同様の作用効果を奏することができる。また、複数のＵＳＢケーブル101のみで複数の動画評価セット１にて液晶パネル12を同時に評価できるので、ＵＳＢ分配器111を不要にできる。さらに、信号源21から出力されるシリアルデジタルインターフェイス信号に基づいて、複数の動画評価セット１で液晶パネル12を同時に評価できるので、これら動画評価セット１で同じ映像を同時に評価できる。
【０１０８】
さらに、上記各実施の形態の動作をコンピュータ読み取り可能な動画評価セット１の画像評価プログラムとしたり、この動画評価セット１にて自動的に液晶モジュール２のメインモジュール３およびサブモジュール11それぞれの液晶パネル４,12に表示される画像の画質評価ができる画像評価ソフトウェアとしたりすることもできる。さらに、これら画像評価プログラムあるいは画像評価ソフトウェアを記録した光ディスクあるいは磁気ディスクその他の記録媒体に格納し、この記録媒体を信号源21に自動的に動作させるために用いることもできる。
【図面の簡単な説明】
【０１０９】
【図１】本発明の液晶表示装置の評価装置の第１の実施の形態を示す説明斜視図である。
【図２】同上液晶表示装置の評価装置を示す説明図である。
【図３】同上液晶表示装置の表面側を示す説明斜視図である。
【図４】同上液晶表示装置の裏面側を示す説明斜視図である。
【図５】本発明の第２の実施の形態の液晶表示装置の評価装置の信号源の表示部を示す平面図である。
【図６】同上液晶表示装置の評価装置を示す説明斜視図である。
【図７】同上液晶表示装置の評価装置を示す説明図である。
【図８】同上液晶表示装置の表面側を示す説明斜視図である。
【図９】同上液晶表示装置の裏面側を示す説明斜視図である。
【図１０】本発明の第３の実施の形態の液晶表示装置の表面側を示す説明斜視図である。
【図１１】同上液晶表示装置の裏面側を示す説明斜視図である。
【図１２】本発明の第４の実施の形態の液晶表示装置の表面側を示す説明斜視図である。
【図１３】同上液晶表示装置の裏面側を示す説明斜視図である。
【図１４】本発明の第５の実施の形態の液晶表示装置の評価装置を示す説明図である。
【図１５】同上液晶表示装置の評価装置を示す説明側面図である。
【図１６】同上液晶表示装置の評価装置を示す説明斜視図である。
【図１７】本発明の第６の実施の形態の液晶表示装置の評価装置を示す説明斜視図である。
【図１８】本発明の第７の実施の形態の液晶表示装置の評価装置を示す説明図である。
【図１９】同上液晶表示装置の評価装置を示す説明側面図である。
【図２０】同上液晶表示装置の評価装置を示す説明斜視図である。
【図２１】同上液晶表示装置の評価装置の接続状態を示す説明斜視図である。
【符号の説明】
【０１１０】
１    液晶表示装置の評価装置としての動画評価セット
２    液晶表示装置としての液晶モジュール
３    第１の液晶表示部としてのメインモジュール
11    第２の液晶表示部としてのサブモジュール
21    信号源
22    表示部としてのモニタ部
27    表示回路としてのデータ変換回路基板
61    設置部としての収容ボックス
63    接続部としての折り返し機構
64    回動部としてのヒンジ
71,72    選択手段としてのセレクトボタン
101    ＵＳＢケーブル
102    シリアルパラレル変換手段としてのシリアルパラレル変換回路
121    出力手段としてのコネクタ
【図１】
2006227580.tif 000003
【図２】
2006227580.tif 000004
【図３】
2006227580.tif 000005
【図４】
2006227580.tif 000006
【図６】
2006227580.tif 000007
【図７】
2006227580.tif 000008
【図８】
2006227580.tif 000009
【図９】
2006227580.tif 000010
【図１０】
2006227580.tif 000011
【図１１】
2006227580.tif 000012
【図１２】
2006227580.tif 000013
【図１３】
2006227580.tif 000014
【図１４】
2006227580.tif 000015
【図１５】
2006227580.tif 000016
【図１６】
2006227580.tif 000017
【図１７】
2006227580.tif 000018
【図１８】
2006227580.tif 000019
【図１９】
2006227580.tif 000020
【図２０】
2006227580.tif 000021
【図２１】
2006227580.tif 000022
【図５】
2006227580.tif 000023